(57)【要約】【課題】  従来のパタークラブでは、適正なスタンス及びセッティングを行うための指標となるものがなく、全てプレーヤーの勘で行っていたので、正確なスタンス及びセッティングができにくかった。【解決手段】    パターヘッド２上に、パターヘッド２の水平姿勢を確認する水準器３と、水準器３の上方を被覆する被覆部材４とを設け、パターヘッド２を水平に位置させた状態で被覆部材４における水準器３の鉛直上方位置に水準器視認用の小孔４３を設けていることにより、パターヘッド２の水平出しを簡単且つ正確に行えるとともに視点Ｅを簡単且つ正確に適正位置（水準器３の鉛直上方位置）に位置させることができるようにしている。又、パターヘッド２上の後方寄り位置に、上方から見てフェース面２１の直角前方を映す反射鏡５を設けることにより、フェース面２１を簡単且つ正確に適正な指向方向に向けることができる。【選択図】      図１
2007054467.tif 000002
【特許請求の範囲】
【請求項１】
シャフト（１）の下端部にパターヘッド（２）を取付けたゴルフ用のパタークラブであって、
前記パターヘッド（２）上に、該パターヘッド（２）の水平姿勢を確認する水準器（３）と、該水準器（３）の上方離間位置において該水準器（３）の上方を被覆する被覆部材（４）とを設ける一方、
前記パターヘッド（２）を水平に位置させた状態で前記被覆部材（４）における前記水準器（３）の鉛直上方位置に、該水準器視認用の小孔（４３）を設けている、
ことを特徴とするパタークラブ。
【請求項２】
請求項１において、
パターヘッド（２）上の後方寄り位置に、上方から見てフェース面（２１）の直角前方を映す反射鏡（５）を設けている、
ことを特徴とするパタークラブ。
【発明の詳細な説明】
【技術分野】
【０００１】
本願発明は、ゴルフのパッティング時に使用されるパタークラブに関するものである。
【背景技術】
【０００２】
パタークラブはグリーン上でパッティングするときに使用するものであるが、パッティング時には、パターヘッドを水平姿勢にし且つそのフェース面を目標位置（カップ穴）に対して直角に向けるのが基本であり、さらにパッティングスタンスをとったときの視点位置がフェース面の打球点（スイートスポット）の鉛直上方位置にあるようにするのが好ましい。
【０００３】
即ち、パッティング時には、図８及び図９に示すように、グリーン上のゴルフボールＢとカップ穴Ｃの中心を結ぶ打球目標線Ｐの延長線上のゴルフボール後側近傍において、パターヘッド１０２を水平にし、且つそのフェース面１２１が打球目標線Ｐに対して直角に向くようにセットするとともに、フェース面１２１の打球点Ａからの鉛直上方線Ｑ上に視点（目）Ｅが位置するようにスタンスするのが好ましい。このスタンス状態では、フェース面１２１の打球点Ａをその直上方から見下ろし、且つカップ穴Ｃの方向を見るのに視線をフェース面の打球点Ａから真横（打球目標線Ｐと重合する方向）に移動させればよい。このようにすると、カップ穴Ｃの方向（打球目標線Ｐ）が正確に確認でき、該カップ穴Ｃに対してフェース面１２１を適正方向（直角方向）にセットし易くなるとともに、パッティング方向を正確に把握できる。
【０００４】
因に、スタンス状態で視点位置が符号Ｅ′（図８、図９）で示すようにフェース面の打球点Ａの鉛直上方線Ｑより手前側にある場合には、フェース面の打球点Ａに対する視線Ｒ（図８）が傾斜するとともに、該視点Ｅ′の位置からカップ穴Ｃの方向Ｓ（図９）が打球目標線Ｐ（打球点Ａとカップ穴Ｃを結ぶ線）からずれてしまい、パッティング方向（パターヘッド１０２の押出し方向）を正確に把握しにくくなる。
【０００５】
尚、グリーン上において、パッティングラインはグリーンの起伏や傾斜等によって直線だけでなく、フックラインやスライスラインの場合が多々あるが、パタークラブのセッティングは、カップ穴Ｃに対して直線指向方向が基本で、実際には直線指向方向からラインの状況によってフェース面の向きや打球方向を調整するようにしている。
【０００６】
又、パタークラブによるパッティング時には、上記のようにスタンス状態での視点Ｅをフェース面１２１の打球点Ａの鉛直上方線Ｑ上に位置させるのが好ましいが、図８及び図９に示す一般的なパタークラブでは、特にそのための指標となるものはない。
【０００７】
ところで、公知のパタークラブの中には、例えば特開２００４−２４７２２号公報（特許文献１）に示されるように、パターヘッドの奥行き幅（フェース面から直角方向後端まで）を長くし、そのパターヘッド上面にパッティング方向（フェース面に対して直角方向）を指向する直線状の打球指向線を付したものがある。
【０００８】
【特許文献１】特開２００４−２４７２２号公報
【発明の開示】
【発明が解決しようとする課題】
【０００９】
ところで、図８に示す一般的なパタークラブでは、上記したように、パッティングのスタンス時に、パターヘッド１０２を適正姿勢に置いたり、視線Ｅの位置を適正位置に置いたりするための指標となるものが何もなく、プレーヤーがそれぞれ勘で（自己流で）スタンスしているのが現状である。従って、パッティング時のスタンス状態で、パターヘッド１０２が水平姿勢であるかどうか、及び視点Ｅがフェース面１２１の打球点Ａの鉛直上方に位置しているかどうか、等を正確に確認できず、その不確かな状態でパッティングを行っている。
【００１０】
又、従来のパタークラブでは、パッティングのスタンス時に、フェース面１２１が打球目標線Ｐに対して正確に直角方向に向いているかどうかを確認するものが何もなく、フェース面を正確に打球目標方向に指向させるのが難しいという問題もあった。
【００１１】
尚、熟練者になると、パッティング時のスタンス姿勢及びフェース面の指向方向等をある程度適正に定めることができるが、初心者では毎回スタンス姿勢が変わったり、フェース面の指向方向が不適格であったりすることがあり、スコアに悪影響しているのが現状である。
【００１２】
他方、上記した特許文献１のパタークラブには、パターヘッドの上面にパッティング方向を指向する打球指向線を付しているが、この打球指向線は単にパッティング方向を示すだけのものであって、正しいスタンス姿勢（パターヘッドを水平にし、視点をフェース面打球点の鉛直上方に位置させる）をとるための指標になるものではない。又、パターヘッド上面に付された打球指向線は、長さに限度があり、その打球指向線の方向をカップ穴方向（打球目標線）に対して正確に合致させるのは困難であって、該打球指向線がフェース面をカップ穴方向に指向させるための指標にはなりにくい。
【００１３】
そこで、本願発明は、パッティング時におけるスタンス及びパターヘッドのセッティングを簡単且つ適正に行えるようにしたパタークラブを提供することを目的としてなされたものである。
【課題を解決するための手段】
【００１４】
本願発明は、上記課題を解決するための手段として次の構成を有している。尚、本願発明は、ゴルフのパッティング時に使用するパタークラブを対象にしている。
【００１５】
本願請求項１の発明
本願請求項１の発明のパタークラブは、シャフトの下端部にパターヘッドを取付けたものである。
【００１６】
そして、この請求項１のパタークラブは、パターヘッド上に、該パターヘッドの水平姿勢を確認する水準器と、水準器の上方離間位置において水準器の上方を被覆する被覆部材とを設けている。
【００１７】
水準器は、前後・左右（水平全方向）の傾きを確認できる円形のもので、表示部の直径が７〜１０mm程度（特に限定するものではない）の比較的小さいものでよい。この水準器は、指標として密閉水の中に小気泡を入れた一般的なものでよい。そして、この水準器は、パターヘッドの上面におけるフェース面に近い位置で且つフェース面の打球点（スイートスポット）に対応する位置において、パターヘッドが水平姿勢のときに指標（小気泡）が表示部の中心に位置するようにして取付けている。尚、この水準器は、パターヘッドの上面に対して、直接取付けたものでも、他の部材を介在させて間接的に取付けたものでもよい。
【００１８】
被覆部材は、パターヘッド上面に設けられていて、少なくとも水準器の上方離間位置を被覆する上板部を有している。この上板部は、水準器から例えば３５〜４５mm程度だけ上方に離間した状態で設けられる。尚、被覆部材の前面は、パターヘッドのフェース面より若干幅（例えば３〜５mm程度）だけ後退させている。
【００１９】
又、この請求項１のパタークラブには、パターヘッドを水平に位置させた状態で被覆部材における水準器の鉛直上方位置に水準器視認用の小孔を設けている。この小孔は、内径が例えば７〜１０mm程度でよい。
【００２０】
そして、この請求項１のパタークラブでは、シャフト上部のグリップを握ってスタンスした状態で（例えば１ｍ程度の上方位置から）、被覆部材の小孔を通して水準器の表示部の全体を見ることができるようになっている。
【００２１】
この請求項１のパタークラブは、次のように使用する。まず、パッティング時には、ゴルフボールがある位置の近傍所定位置において、両足の位置をゴルフボールとカップ穴とを結ぶ線に対して平行にスタンスし、パターヘッドをカップ穴とは反対側のゴルフボール近傍位置に置き、、フェース面をゴルフボールとカップ穴中心を結ぶ打球目標線に対して略直角方向に向ける（この請求項１では目測でフェース面の指向方向を決める）。続いて、パターヘッドの水平出しを行うとともに、スタンス姿勢で視点位置（目の位置）を水準器の鉛直上方に位置させる。その際、パターヘッドの水平出しの確認は、水準器の指標（小気泡）を見て、該指標が表示部の中心に位置しておればよく、正確な視点位置（水準器の鉛直上方位置）の確認は、スタンス姿勢で被覆部材の小孔を見下ろして、該小孔内に水準器の表示部が中心に位置しておればよい。尚、これらの調整は、視点位置の移動とシャフトの傾動とを並行して行い、パターヘッドの水平出しと正確な視点位置への調整とを同時に達成する。
【００２２】
このスタンス姿勢では、水準器によりパターヘッドが水平姿勢にあることが確認できるとともに、視点位置が水準器（フェース面の打球点に近接している）の鉛直上方位置にあることが確認できる。そして、このスタンス姿勢でパッティングライン（打球目標線）を見るには、視線をフェース面の打球点からゴルフボールを越えてカップ穴の方向に移動させるが、その際、視線を真下（フェース面の打球点）から真横（スタンス姿勢と平行）に移動させればよい。このようにパッティングラインを見るのに視線をスタンス姿勢で真横に移動させるようにすると、カップ穴の方向が正確に確認でき、該カップ穴に対してパターヘッドのフェース面を適正方向（直角方向）にセットし易くなるとともに、パッティング方向を正確に把握できる。尚、パッティングスタンスは、打球目標線に対してパターヘッドのフェース面を直角に向けるのが基本であるが、パッティングライン上に起伏や傾斜等があり、実際にはそれらのライン状況に応じてフェース面の指向方向を調整することが行われている。
【００２３】
本願請求項２の発明
本願請求項２の発明は、上記請求項１のパタークラブにおいて、パターヘッド上の後方寄り位置に、上方から見てフェース面の直角前方を映す反射鏡を設けている。
【００２４】
この請求項２のパタークラブにおける反射鏡は、パターヘッド上の後方寄り位置において鏡面がフェース面側に向けて角度約４５°だけ下降傾斜する状態で設置されている。又、この反射鏡を上方から見て、水準器を被覆する被覆部材が前方映像の障害にならないようにしている。
【００２５】
そして、この請求項２のパタークラブでは、パターヘッドを水平姿勢にし、水準器を鉛直上方から見る姿勢において、パターヘッドのフェース面の直角前方の映像（実際にはカップ穴）が反射鏡に映し出されるようになっている。
【００２６】
従って、この請求項２のパタークラブでは、上記請求項１に記載したスタンス姿勢において、パターヘッドのフェース面が打球目標線（カップ穴方向）に対して直角であるときに、反射鏡に打球目標位置となるカップ穴を映し出すことができ、それによってフェース面がカップ穴に対して正しい方向（直角方向）に向いているかどうかを確認できる。尚、この場合も、打球目標線に対してパターヘッドのフェース面を直角に向けるのが基本であるが、実際にはパッティングライン上に起伏や傾斜等により、フェース面の指向方向を調整することが行われる。
【発明の効果】
【００２７】
本願請求項１の発明の効果
本願請求項１の発明のパタークラブは、パターヘッド上に、該パターヘッドの水平姿勢を確認する水準器と、水準器の上方離間位置において水準器を被覆する被覆部材とを設ける一方、ヘッドを水平に位置させた状態で被覆部材における水準器の鉛直上方位置に水準器視認用の小孔を設けていることを特徴としている。
【００２８】
ところで、パッティング時において、パターヘッドを水平姿勢にすること、及びフェース面の打球点を鉛直上方から見ることは、パッティング時の基本であるが、この請求項１のパタークラブでは、水準器を見ることでパターヘッドを正確に水平姿勢に調整することができるとともに、水準器視認用の小孔を通して水準器を見ることにより視線を水準器の鉛直上方に位置させることができる。
【００２９】
従って、本願請求項１のパタークラブでは、パッティング時において、基本となるパッティング姿勢及びパターヘッドのセッティングを正確に且つ簡単にとることができ、パッティング技術の向上に大いに寄与できるという効果がある。
【００３０】
本願請求項２の発明の効果
本願請求項２の発明は、上記請求項１のパタークラブにおいて、ヘッド上の後方寄り位置に、上方から見てフェース面の直角前方を映す反射鏡を設けているので、パッティングスタンス姿勢で直下を見下ろしたときに、反射鏡でフェース面の直角前方（カップ穴方向）を映し出すことができる。
【００３１】
そして、パッティングスタンス状態で、反射鏡に打球目標位置となるカップ穴が映し出されるようにパターヘッドを向きを調整することで、該パターヘッドのフェース面を正確に打球目標線（カップ穴方向）に対して直角に向けることができる。
【００３２】
従って、本願請求項２のパタークラブでは、パッティングスタンス状態で、反射鏡によりフェース面を打球目標線（カップ穴方向）に対して正確に且つ簡単に直角に向けることができ、上記請求項１の効果に加えて、パッティング技術がさらに向上するという効果がある。
【実施例】
【００３３】
図１〜図７を参照して本願実施例のパタークラブを説明すると、この実施例のパタークラブは、図１〜図４に示すように、シャフト１の下端部にパターヘッド２を取付けて構成されている。
【００３４】
パターヘッド２としては、鉛直なフェース面２１と後述の水準器３を取付けるための適宜面積の上面２２を有するものであれば適宜形状のものが使用可能である。尚、この実施例では、パターヘッド２として、かまぼこ型のものを採用している。
【００３５】
パターヘッド２の上面２２には、ヘッド２の水平出し用の水準器３と、該水準器３を見るための小孔４３を設けた被覆部材４と、ヘッドのフェース面２１の直角前方を映し出す反射鏡５とを設けている。
【００３６】
水準器３は、前後・左右（水平全方向）の傾きを確認できる円形の表示部３１を有するものを採用している。尚、この水準器３の表示部３１は、密閉水の中に指標となる小気泡３２を入れて構成されている。又、表示部３１の直径は、７〜１０mm程度の比較的小さいものでよい。
【００３７】
そして、この水準器３は、パターヘッド２の上面２２におけるフェース面２１に近い位置で且つフェース面２１の打球点（スイートスポット）Ａに対応する位置において、パターヘッド２が水平姿勢のときに指標（小気泡）３２が表示部３１の中心に位置するようにして取付けている。尚、この水準器３は、パターヘッド上面２２に接着剤で接着させることで固定することができる。又、パターヘッド上面２２に水準器嵌め込み用の凹部を形成して、該凹部に水準器３を嵌め込むようにしてもよい。
【００３８】
被覆部材４は、この実施例では、水準器３をフェース面長さ方向から挟む２つの側板部４１，４１と該各側板部４１，４１の上部を連続させる上板部４２とを有した門型のものが使用されている。図示例のものでは、被覆部材４の各側板部４１，４１の内面間隔を４０〜４５mm程度とし、被覆部材４の上板部４２の上面高さを水準器３から３５〜４０mm程度にしている。従って、被覆部材４の門型内部には、パターヘッド２の奥行き方向に貫通するかなり大きな空洞部４４が形成されている。尚、この空洞部４４は、後述するように反射鏡５の前面に障害を設けないためのものである。被覆部材４の前面は、フェース面２１より若干幅（例えば３〜５mm程度の幅）だけ後退させており、打球時に被覆部材４がゴルフボールに当たらないようにしている。
【００３９】
被覆部材４の上板部４２には、パターヘッド２を水平に位置させた状態で水準器３の鉛直上方位置に水準器視認用の小孔４３を設けている。この小孔４３は、内径が例えば７〜１０mm程度である。
【００４０】
そして、この実施例のパタークラブでは、パターヘッド２を水平に位置させ、シャフト上部のグリップ１１を握ってスタンスした状態で、図２及び図３に示すように水準器３の鉛直上方の視点Ｅから視線Ｑ1で示すように被覆部材４の小孔４３を見下ろすと、図４に示すように該小孔４３を通して水準器３の表示部３１の全体（ほぼ全体でもよい）を見ることができるようになっている。
【００４１】
被覆部材４の後部側には、反射鏡５を取付けるための取付台４５が一体に設けられている。この取付台４５は、フェース面２１側に向けて角度約４５°の下降傾斜状態となっている。
【００４２】
反射鏡５は、上記取付台４５に装着されており、その鏡面がフェース面２１側に向けて角度約４５°の下降傾斜状態で設置されている。この反射鏡５の上方は開放されているとともに、該反射鏡５の前方が上記空洞部４４により開放されている。
【００４３】
そして、この実施例のパタークラブでは、パターヘッド２を水平姿勢にし、水準器３を鉛直上方から見る姿勢において、図３に視線Ｑ2で示すように反射鏡５を介してパターヘッド２のフェース面２１の直角前方の映像（実際には図６に示すようにカップ穴Ｃ）を見ることができるようになっている。
【００４４】
この実施例のパタークラブは、次のように使用する。パッティング時には、図５〜図７に示すように、ゴルフボールＢがある位置の近傍所定位置において、両足の位置をゴルフボールＢとカップ穴Ｃとを結ぶ線Ｐに対して平行にスタンスし（図７参照）、グリップ１１を握ってパタークラブのヘッド２をカップ穴Ｃとは反対側のゴルフボール近傍位置に置く。そして、被覆部材４の小孔４３を通して水準器３を見て（視線Ｑ1）、その指標（小気泡）３２が表示部３１の中心に位置するようにシャフト１の角度を調整し（パターヘッド２が水平姿勢となる）、且つ視点Ｅを水準器３の表示部３１が小孔４３の中心に位置するように水準器３の鉛直上方に位置させる。続いて、そのスタンス姿勢で反射鏡５を見て（視線Ｑ2）、該反射鏡５にフェース面２１の前方にあるカップ穴Ｃが映し出されるようにパターヘッド２の角度を調整する。尚、反射鏡５にカップ穴Ｃが映っている状態では、打球目標線Ｐ（カップ穴Ｃがある方向）に対してフェース面２１が正確に直角方向に向いている。
【００４５】
このように、パターヘッド２が水平姿勢であり、視点Ｅが水準器３の鉛直上方に位置し、フェース面２１が打球目標線Ｐに対して直角に向いている状態は、パッティングスタンスの基本形である。そして、このスタンス姿勢でパッティングライン（打球目標線Ｐ）を見るには、図７に示すように、視線をフェース面２１の打球点Ａ（水準器３の直近位置）からゴルフボールＢを越えてカップ穴Ｃの方向に移動させるが、その際、視線を真下（フェース面２１の打球点Ａ）から真横（スタンス姿勢と平行）に移動させればよいので、カップ穴Ｃの方向（打球目標線Ｐ）が正確に確認でき、パッティング方向を正確に把握できる。又、このとき、スタンス姿勢を維持したまま視線を僅かに移動して反射鏡５を見ることで、カップ穴Ｃに対してフェース面２１が適正方向（直角方向）にセットされているか否かを確認できるので（反射鏡５にカップ穴Ｃが見えなければパターヘッド２の角度を調整する）、適正なパッティングスタンス及びパターヘッド２のセッティングが完了する。尚、パッティングスタンス及びパターヘッド２のセッティングは、図７に示すように、打球目標線Ｐに対してパターヘッド２のフェース面２１を直角に向けるのが基本であるが、パッティングライン上には起伏や傾斜等があり、実際にはそれらのライン状況に応じてフェース面２１の指向方向を調整してパッティングが行われる。
【００４６】
上記のように、本願実施例のパタークラブでは、パターヘッド２の水平出しを行うのに水準器３を見ることで達成でき、又、パッティングスタンス状態での視点位置をフェース面打球点Ａの鉛直上方に位置させるのに被覆部材４の小孔４３を通して水準器３の表示部３１を見ることで達成でき、さらにパターヘッド２のフェース面２１を打球目標線（カップ穴の方向）に対して直角に向けるのに反射鏡５を見ることで達成できる。従って、このパタークラブを使用すると、適正なスタンス及びセッティングでパッティングを行うことができる。
【図面の簡単な説明】
【００４７】
【図１】本願実施例のパタークラブの斜視図である。
【図２】図１のII−II断面相当図である。
【図３】図１のIII−III断面相当図である。
【図４】図１のパターヘッド部分の平面図である。
【図５】図１のパタークラブの使用説明図でプレーヤーの側方から見た図である。
【図６】図１のパタークラブの使用説明図でプレーヤーの前方から見た図である。
【図７】図１のパタークラブの使用説明図でプレーヤーの上方から見た図である。
【図８】従来のパタークラブの斜視図である。
【図９】図８のパタークラブの問題点説明図である。
【符号の説明】
【００４８】
１はシャフト、２はパターヘッド、３は水準器、４は被覆部材、５は反射鏡、２１はフェース面、２２は上面、３１は表示部、３２は指標（小気泡）、４２は上板部、４３は小孔、Ａは打球点である。
【図１】
2007054467.tif 000003
【図２】
2007054467.tif 000004
【図３】
2007054467.tif 000005
【図４】
2007054467.tif 000006
【図５】
2007054467.tif 000007
【図６】
2007054467.tif 000008
【図７】
2007054467.tif 000009
【図８】
2007054467.tif 000010
【図９】
2007054467.tif 000011